(57)【要約】      （修正有）【課題】薄型化でき、受信性能の低下や太陽電池パネルの変形も防止できる電子時計を提供する。【解決手段】電子時計は、文字板と、文字板の裏面側に配置される太陽電池と、回路基板と、太陽電池と回路基板とを接続する第一の導電部材２８１および第二の導電部材２８２と、文字板の裏面側に配置される平面アンテナ４０と、複数のモーター２２１〜２２５と、太陽電池によって充電される二次電池２４と、を有し、文字板に垂直な方向から見た平面視において、モーター２２１〜２２５、二次電池２４、平面アンテナ４０は、互いに重ならないように配置され、平面視において、文字板の平面中心位置を通る仮想直線で文字板の平面領域を２つの領域に分けた際に、一方の領域に平面アンテナ４０が配置され、他方の領域に第一の導電部材２８１および第二の導電部材２８２が配置され、第一の導電部２８１材および第二の導電部材２８２は、間隔を有して配置される。【選択図】図４
2019168336.tif 000002
【特許請求の範囲】
【請求項１】
文字板と、
前記文字板の裏面側に配置される太陽電池と、
回路基板と、
前記太陽電池と前記回路基板とを接続する第一の導電部材および第二の導電部材と、
前記文字板の裏面側に配置される平面アンテナと、
複数のモーターと、
前記太陽電池によって充電される二次電池と、を有し、
前記文字板に垂直な方向から見た平面視において、前記モーター、前記二次電池、前記平面アンテナは、重ならないように配置され、
前記平面視において、前記文字板の平面中心位置を通る仮想直線で前記文字板の平面領域を２つの領域に分けた際に、一方の領域に前記平面アンテナが配置され、他方の領域に前記第一の導電部材および前記第二の導電部材が配置され、
前記第一の導電部材および前記第二の導電部材は、間隔を有して配置される
ことを特徴とする電子時計。
【請求項２】
請求項１に記載の電子時計において、
前記平面視において、前記二次電池は、前記平面アンテナが配置される領域とは異なる領域に配置される
ことを特徴とする電子時計。
【請求項３】
請求項１または請求項２に記載の電子時計において、
前記平面視において、前記文字板の平面中心位置を通り、互いに直交する第一仮想直線および第二仮想直線で、前記文字板の平面領域を第一から第四までの４つの領域に分けた際に、前記平面アンテナは、隣接する第一領域および第二領域に跨がって配置され、前記第一の導電部材は第三領域に配置され、前記第二の導電部材は第四領域に配置される
ことを特徴とする電子時計。
【請求項４】
請求項３に記載の電子時計において、
前記平面アンテナは、前記平面視において、前記第一領域に配置された給電部を備え、
前記平面アンテナ用の受信ＩＣは、前記平面視において、前記第一領域に配置される
ことを特徴とする電子時計。
【請求項５】
請求項１から請求項４のいずれか一項に記載の電子時計において、
前記平面アンテナは、パッチアンテナである
ことを特徴とする電子時計。
【請求項６】
請求項１から請求項５のいずれか一項に記載の電子時計において、
前記太陽電池は、直列に接続された８つ以上のセルを備える
ことを特徴とする電子時計。
【請求項７】
請求項１から請求項６のいずれか一項に記載の電子時計において、
前記平面視において、前記文字板の外周および前記太陽電池の外周を覆う見切り部材を備え、
前記平面視において、前記第一の導電部材および前記第二の導電部材は、前記見切り部材と重なる位置に配置される
ことを特徴とする電子時計。
【発明の詳細な説明】
【技術分野】
【０００１】
本発明は、電子時計に関し、特に太陽電池を有する電子時計に関する。
【背景技術】
【０００２】
太陽電池と電波受信用のアンテナとを有する電子時計が知られている（特許文献１）。
特許文献１の電子時計では、位置情報衛星から送信される衛星信号を受信する平面アンテナと、指針を駆動する複数のモーターと、二次電池とが平面視で重ならないように配置することで、電子時計を薄型化していた。
【０００３】
この電子時計では、太陽電池パネルは、文字板と地板との間に配置されるが、太陽電池パネルで発電した電力を二次電池に供給するため、太陽電池パネルと、充電制御回路が設けられた回路基板とを導通する必要がある。この際、太陽電池パネルと、回路基板とは、地板を挟んで離れて配置されており、かつ、電子時計の組立時に太陽電池パネルと回路基板とを容易に導通させるため、太陽電池コイルバネを用いて導通させていた。
【先行技術文献】
【特許文献】
【０００４】
【特許文献１】特開２０１６−１０９５２２号公報
【発明の概要】
【発明が解決しようとする課題】
【０００５】
しかしながら、太陽電池コイルバネは、太陽電池パネルから回路基板までの高さ寸法が必要であり、平面アンテナ、モーター、二次電池とは平面位置が異なる場所に配置する必要がある。さらに、太陽電池コイルバネは、金属製であり、電流も流れるため、平面アンテナの受信性能に影響を与える可能性がある。また、太陽電池コイルバネは、太陽電池パネルに圧接し、太陽電池パネルを変形させる可能性がある。
本発明の目的は、薄型化でき、受信性能の低下や太陽電池パネルの変形も抑制できる電子時計を提供することにある。
【課題を解決するための手段】
【０００６】
本発明の電子時計は、文字板と、前記文字板の裏面側に配置される太陽電池と、回路基板と、前記太陽電池と前記回路基板とを接続する第一の導電部材および第二の導電部材と、前記文字板の裏面側に配置される平面アンテナと、複数のモーターと、前記太陽電池によって充電される二次電池と、を有し、前記文字板に垂直な方向から見た平面視において、前記モーター、前記二次電池、前記平面アンテナは、重ならないように配置され、前記平面視において、前記文字板の平面中心位置を通る仮想直線で前記文字板の平面領域を２つの領域に分けた際に、一方の領域に前記平面アンテナが配置され、他方の領域に前記第一の導電部材および前記第二の導電部材が配置され、前記第一の導電部材および前記第二の導電部材は、間隔を有して配置されることを特徴とする。
【０００７】
本発明によれば、電子時計の平面視において、モーターと、二次電池と、平面アンテナとを互いに重ならないように配置したので、電子時計を薄型化できる。また、文字板の平面領域を２つの領域に分けた際に、一方の領域に平面アンテナを配置し、他方の領域に、導電部材を配置したので、平面アンテナに対して金属製である導電部材を離して配置できる。このため、導電部材による平面アンテナへの影響を少なくでき、受信性能の低下を抑制できる。
さらに、第一の導電部材と、第二の導電部材とは、間隔をあけて配置しているので、各導電部材が隣接して配置される場合に比べて、平面アンテナに対する影響を分散でき、平面アンテナの特性のバラツキを減少でき、全方向から受信をし易くできる。
その上、各導電部材は間隔をあけて配置しているので、導電部材をコイルバネで構成した場合に、コイルバネから太陽電池に加わる負荷を分散でき、太陽電池の変形等を抑制できる。
【０００８】
本発明の電子時計では、前記平面視において、前記二次電池は、前記平面アンテナが配置される領域とは異なる領域に配置されることが好ましい。
本発明によれば、平面アンテナに対して金属製の二次電池を離して配置でき、二次電池による平面アンテナへの影響を少なくでき、受信性能の低下をさらに防止できる。
【０００９】
本発明の電子時計では、前記平面視において、前記文字板の平面中心位置を通り、互いに直交する第一仮想直線および第二仮想直線で、前記文字板の平面領域を第一から第四までの４つの領域に分けた際に、前記平面アンテナは、隣接する第一領域および第二領域に跨がって配置され、前記第一の導電部材は第三領域に配置され、前記第二の導電部材は第四領域に配置されることが好ましい。
本発明によれば、平面アンテナに対して各導電部材を離して配置でき、各導電部材同士も離して配置できる。したがって、平面アンテナの受信性能の低下を防止でき、太陽電池への負荷を分散できる。
【００１０】
本発明の電子時計において、前記平面アンテナは、前記平面視において、前記第一領域に配置された給電部を備え、前記平面アンテナ用の受信ＩＣは、前記平面視において、前記第一領域に配置されることが好ましい。
本発明によれば、平面アンテナの給電部と、受信アンテナ用の受信ＩＣとを、同じ第一領域に配置できるので、給電部と受信ＩＣとを接続する配線を短くでき、ノイズの影響を減少できる。特に、給電部と受信ＩＣとが同じ領域に配置されているので、配線を直線状に配置することも容易になり、ノイズの影響を最小限にできる。
【００１１】
本発明の電子時計において、前記平面アンテナは、パッチアンテナであることが好ましい。
パッチアンテナは、平板型のアンテナであり、単一の指向性を持ち、指向性が狭いことで知られているが、パッチアンテナが実装される回路基板は、グランド板の機能を有するので、外部から入射する無線電波を回路基板上で反射させてアンテナに導くことができる。そのため、アンテナは、アンテナに直接的に入射する無線電波のみならず、回路基板で反射されて間接的に入射する無線電波も受信できる。従って、パッチアンテナを用いれば、アンテナの受信性能をより向上できる。
【００１２】
本発明の電子時計において、前記太陽電池は、直列に接続された８つ以上のセルを備えることが好ましい。
８個のソーラーセルを直列に接続すれば、約４．８Ｖ以上の起電圧が得られる。したがって、起電圧が大きなリチウムイオン二次電池を充電でき、平面アンテナや受信ＩＣを備えるＧＰＳ受信装置（ＧＰＳモジュール）などの消費電流の大きなデバイスを内蔵できる。
【００１３】
本発明の電子時計では、前記平面視において、前記文字板の外周および前記太陽電池の外周を覆う見切り部材を備え、前記平面視において、前記第一の導電部材および前記第二の導電部材は、前記見切り部材と重なる位置に配置されることが好ましい。
太陽電池パネルの電極端子は、導通部材が裏側に配置されるため、他の箇所に比べて黒く目立ってしまう場合がある。この場合でも、見切り部材で電極端子部分を隠すことができるため、高品位の電子時計を容易に実現できる。
【図面の簡単な説明】
【００１４】
【図１】本発明の第１実施形態に係る電子時計を示す概略図。
【図２】前記電子時計の表面側を示す正面図。
【図３】前記電子時計の断面図。
【図４】前記電子時計のムーブメントの要部を示す平面図。
【図５】前記電子時計のムーブメントの要部を示す分解斜視図。
【図６】前記電子時計の太陽電池を示す平面図。
【図７】前記電子時計のムーブメントの要部を示す分解斜視図。
【図８】太陽電池と回路基板との導通構造を示す図。
【図９】前記電子時計内に組み込まれる平面アンテナを示す斜視図。
【図１０】本発明の変形例の電子時計の断面図。
【発明を実施するための形態】
【００１５】
［第１実施形態］
以下、本発明に係る第１実施形態の電子時計１を図面に基づいて説明する。本実施形態では、電子時計１のカバーガラス３１側を表面側（上側）とし、裏蓋１２側を裏面側（下側）として説明する。
本実施形態の電子時計１は、後述するように、地球の上空を所定の軌道で周回している複数のＧＰＳ衛星や準天頂衛星などの位置情報衛星Ｓからの衛星信号を受信して衛星時刻情報を取得し、内部時刻情報を修正できるように構成されている。さらに、電子時計１は、衛星信号の受信処理として、ユーザーがボタンを操作することで受信を開始する手動受信機能に加えて、所定の条件に該当した際に自動的に受信を開始する自動受信機能を備えている。
【００１６】
電子時計１は、図１〜３に示すように、文字板２、ムーブメント２０、平面アンテナ４０、二次電池２４等を収容する外装ケース１０を備える。また、電子時計１は、外部操作用のリューズ６と、４つのボタン７Ａ、７Ｂ、７Ｃ、７Ｄと、外装ケース１０に接続されるバンドとを備える。バンドは、外装ケース１０の１２時側に接続される第１バンド１５と、６時側に接続される第２バンド１６と、図示略の中留とを備える。第１バンド１５、第２バンド１６は、外装ケース１０に取り付けられるチタン等の金属製のエンドピースと、複数の駒とを備えるメタルバンドである。なお、バンドとしては、メタルバンドに限らず、レザーバンドや樹脂バンドなどでもよい。
【００１７】
文字板２は、ポリカーボネートなどの非導電性部材にて円板状に形成されている。文字板２の平面中心には、指針軸３Ａが配置され、この指針軸３Ａには指針３（秒針３Ｂ、分針３Ｃ、時針３Ｄ）が取り付けられている。
文字板２は、３つの小窓（サブダイヤル）を有する。すなわち、図２に示すように、文字板２の指針軸３Ａが設けられた平面中心に対して、２時方向に円形の第１小窓７７０と指針７７１が設けられ、１０時方向に円形の第２小窓７８０と指針７８１が設けられ、６時方向に円形の第３小窓７９０と指針７９１が設けられている。
また、文字板２の平面中心に対して、４時方向に矩形の日窓２Ｂが設けられている。図３にも示すように、文字板２の裏面側には日車５が配置され、日車５は日窓２Ｂから視認可能となっている。さらに、文字板２には、指針軸３Ａが挿通される貫通孔２Ｃと、指針７７１、７８１、７９１の指針軸が挿通される貫通孔も形成されている。
【００１８】
本実施形態では、第１小窓７７０の指針７７１は、クロノグラフ分針であり、第２小窓７８０の指針７８１は、１／５クロノグラフ秒針である。第３小窓７９０の指針７９１は、モード針およびクロノグラフ時針を兼用している。指針７９１がモード針として用いられる場合は、夏時間の設定（ＤＳＴ：夏時間ＯＮ、○：夏時間ＯＦＦ）と、二次電池２４の残量を示すパワーインジケーターと、機内モードと、ＧＰＳ時刻情報を受信し内部時刻を修正する測時モードと、ＧＰＳ時刻情報と軌道情報とを受信して内部時刻とタイムゾーンとを修正する測位モードとの各モードの設定を表示する。
これらの秒針３Ｂ、分針３Ｃ、時針３Ｄ、指針７７１、７８１、７９１および日車５は、後述するステップモーターおよび輪列を介して駆動される。
【００１９】
［電子時計の外装構造］
図２および図３に示すように、電子時計１は、後述するムーブメント２０等を収容する外装ケース１０を備える。なお、図３は、文字板２の６時位置および１２時位置を結ぶIII−III線に沿った断面図である。
外装ケース１０は、ケース本体１１と、裏蓋１２と、カバーガラス３１を備える。ケース本体１１は、円筒状の胴１１１と、胴１１１の表面側に設けられたベゼル１１２とを備える。
ケース本体１１の裏面側には、ケース本体１１の裏面側の開口を塞ぐ円板状の裏蓋１２が設けられている。裏蓋１２は、ケース本体１１の胴１１１にねじ構造により接続される。なお、本実施形態では、胴１１１と裏蓋１２とは、別体で構成されているが、これに限らず、胴１１１および裏蓋１２が一体化されたワンピースケースでもよい。
胴１１１、ベゼル１１２、裏蓋１２には、ＳＵＳ（ステンレス鋼）、チタン合金、アルミ、ＢＳ（真鍮）などの金属材料が利用される。
【００２０】
［電子時計の内部構造］
次に、電子時計１の外装ケース１０に内蔵される内部構造について説明する。
図３に示すように、外装ケース１０内には、文字板２の他、ムーブメント２０、平面アンテナ（パッチアンテナ）４０、日車５、ダイヤルリング３２等が収容される。
【００２１】
ムーブメント２０は、地板２１、輪列受け（図示略）、地板２１および輪列受けに支持される駆動体２２、第１回路基板７２３、第２回路基板７２４、二次電池２４、太陽電池パネル２５、第１耐磁板９１、第２耐磁板９２を備える。
地板２１は、プラスチック等の非導電性部材にて形成されている。地板２１は、駆動体２２を収容する駆動体収容部２１Ａと、日車５が配置される日車配置部２１Ｂと、平面アンテナ４０を収容するアンテナ収容部２１Ｃとを備える。
駆動体収容部２１Ａおよびアンテナ収容部２１Ｃは、地板２１の裏面側に設けられている。アンテナ収容部２１Ｃは、平面位置が文字板２の１２時位置であるため、図２に示すように、平面アンテナ４０は１２時位置に配置されている。具体的には、平面アンテナ４０は、指針３の指針軸３Ａとケース本体１１との間であり、かつ、文字板２の略１１時位置から略１時位置の範囲に配置されている。すなわち、平面アンテナ４０の中心位置は、外装ケース１０の平面中心（文字板２の中心）に対して１１時方向から１時方向までの６０度の角度範囲内に配置されている。
【００２２】
駆動体２２は、地板２１の駆動体収容部２１Ａに収容され、秒針３Ｂ、分針３Ｃ、時針３Ｄ、指針７７１、７８１、７９１および日車５を駆動する。すなわち、駆動体２２は、図４に示すように、秒針３Ｂを駆動する第１ステップモーター２２１および第１輪列２２１Ａ（図３）と、分針３Ｃおよび時針３Ｄを駆動する第２ステップモーター２２２および第２輪列（図示略）と、指針７９１および日車５の駆動に兼用される第３ステップモーター２２３および第３輪列２２３Ａ（図３）とを有する。第３輪列２２３Ａは、日車５を回転する日回し車２２８（図５）を有する。
さらに、駆動体２２は、指針７７１を駆動する第４ステップモーター２２４および第４輪列（図示略）と、指針７８１を駆動する第５ステップモーター２２５および第５輪列（図示略）とを有する。
【００２３】
ステップモーター２２１〜２２５は、平面アンテナ４０および二次電池２４と平面的に重ならない領域に配置されている。指針７７１が取り付けられる指針軸４Ｂと、指針７８１が取り付けられる指針軸４Ｃと、指針７９１が取り付けられる指針軸４Ｄとは、それぞれ日車５の内周側に配置されている。
【００２４】
図４に示すように、ムーブメント２０において、文字板２に垂直な方向から見た平面視において、文字板２の３時位置には、リューズ６に接続される巻真７０６が配置され、巻真７０６の周囲には、おしどり等の図示略のスイッチ機構（切換機構）が配置されている。
【００２５】
［耐磁板］
近年、スマートフォンなどの携帯端末用のケースに、高性能な磁石が多く使われるようになり、腕時計にも耐磁性が求められている。このため、外部磁界を迂回させて、ステップモーター２２１〜２２５の誤動作を防止するために、図３に示すように、純鉄などの高透磁率材からなる第１耐磁板９１および第２耐磁板９２が、平面的にステップモーター２２１〜２２５と重なる位置に配置されている。なお、各ステップモーター２２１〜２２５は、コアに巻回されたコイルと、ステーターと、ローターとを備える。これらのうち、コイル部分は外部磁界の影響を受けにくいので、耐磁板９１、９２とは必ずしも平面的に重ならなくてもよい。従って、耐磁板９１、９２は、ステップモーター２２１〜２２５の少なくとも一部に平面的に重なり、特に、ステーターやローターと平面的に重なることが好ましい。
第１耐磁板９１は、図３に示すように、地板２１および日車５の時計表面側（カバーガラス３１側）であり、太陽電池パネル２５の裏面側に配置されている。この耐磁板９１は、ステップモーター２２１〜２２５の表面（文字板２側の面）をほぼ覆うように配置される。
第１耐磁板９１には、日窓２Ｂに対応する位置に形成されて日車５を視認可能にするための開口部や、指針軸３Ａ、４Ｂ，４Ｃ，４Ｄが配置される開口部が形成されている。
第１耐磁板９１において、前記平面アンテナ４０と平面視で重なる領域は切り欠かれて切欠部９１２とされている。このため、耐磁板９１は、平面アンテナ４０の表面側には配置されず、平面アンテナ４０は、耐磁板９１の切欠部９１２を通して電波を受信できる。
【００２６】
第２耐磁板９２は、図３に示すように、地板２１の時計裏面側（裏蓋１２側）であり、第２回路基板７２４よりも時計表面側に配置されている。具体的には、地板２１の時計裏面側には、各輪列の軸受を有する輪列受け（図示略）が配置され、この輪列受けの時計裏面側に第２耐磁板９２が配置されている。これにより、第２耐磁板９２は、ステップモーター２２１〜２２５の裏面（裏蓋１２側の面）をほぼ覆うように配置される。
【００２７】
ここで、図４に示すように、ムーブメント２０を、平面視で仮想的に４つの領域に分ける。具体的には、ムーブメント２０の平面中心（外装ケース１０および文字板２の平面中心位置であって、指針軸３Ａの中心）および平面アンテナ４０の中心を通る１２時−６時方向の第一直線１０１と、第一直線１０１に直交し且つムーブメント２０の平面中心を通る３時−９時方向の第二直線１０２とで、ムーブメント２０つまり外装ケース１０内を４つの領域１０５〜１０８に仮想的に分割する。
第一領域１０５は、図４において左上、つまり文字板２の９時から１２時の範囲であり、第二領域１０６は、図４において右上、つまり文字板２の１２時から３時の範囲である。第三領域１０７は、図４において右下、つまり文字板２の３時から６時の範囲であり、第四領域１０８は、図４において左下、つまり文字板２の６時から９時の範囲である。
第２耐磁板９２は、平面アンテナ４０と干渉しないように、切欠部９２２が形成され、平面視で平面アンテナ４０と重ならないように形成されている。このため、第２耐磁板９２は、第二領域１０６においては、平面アンテナ４０と重ならない部分を覆う形状とされ、第三領域１０７から第四領域１０８までは略半円状に形成されている。したがって、第２耐磁板９２は、切欠部９２２によって第一領域１０５は被覆していない。
この第一領域１０５には、後述するように、平面アンテナ４０の給電部４４と、受信部（受信ＩＣ）５０とが配置されている。一方、第一領域１０５には、ステップモーター２２１〜２２５、水晶振動子６３は、配置されていない。
第２耐磁板９２には、各ステップモーター２２１〜２２４のコイルが配置される開口部と、二次電池２４が配置される略円形の切欠部が形成されている。
また、第二直線１０２で仮想的に２つの領域（第一領域１０５および第二領域１０６と、第三領域１０７および第四領域１０８）に分けた場合、平面アンテナ４０と二次電池２４とは、異なる領域に配置されている。従って、本実施形態では、第二直線１０２が文字板２の平面領域を２つの領域に分ける仮想直線である。また、第一直線１０１が第一仮想直線であり、第二直線１０２が第二仮想直線である。
【００２８】
［回路基板］
本実施形態の電子時計１は、図３に示す時計駆動制御用の第１回路基板７２３（図５では不図示）と、図３、５に示すＧＰＳ受信用の第２回路基板７２４との２枚の回路基板が配置されている。
第１回路基板７２３は、地板２１と第２耐磁板９２との間に配置され、各ステップモーター２２１〜２２５のコイルに導通する配線などが設けられ、コネクター７５１を介して第２回路基板７２４に接続されている。
【００２９】
第１回路基板７２３には、受信用の第２回路基板７２４からの信号を受信して、モーターを制御する図示略の時計制御ＩＣ（ＣＰＵ）と、図示略の時計駆動制御ＩＣ（駆動回路）等が実装されている。
第２回路基板７２４は、第２耐磁板９２の裏面にスペーサー７５０（図５では不図示）を介して配置されている。第２回路基板７２４は、図５にも示すように、平面略円形に形成され、かつ、二次電池２４が配置される略円形の切欠部７３１が形成されている。この切欠部７３１に二次電池２４を配置することで、電子時計１を薄型化できる。第２回路基板７２４の表面側には、平面アンテナ（パッチアンテナ）４０と、ＧＰＳ衛星Ｓから受信した衛星信号を処理する受信部５０（受信素子、受信用ＩＣ、ＧＰＳモジュール）と、電源用ＩＣ７５と、メモリー用ＩＣ７６、チップ素子７６１、水晶振動子６３などが実装されている。メモリー用ＩＣ７６は、フラッシュメモリーで構成され、ＧＰＳ受信用のファームウェアのプログラムや、測位受信処理において算出した位置情報からタイムゾーンを判別するためのタイムゾーンデータが記憶されている。
【００３０】
スペーサー７５０は、各ＩＣ等を保護する。この際、前記各ＩＣは、少なくとも指針軸３Ａ、４Ｂ，４Ｃ，４Ｄの直下と異なる位置に配置することが望ましい。第２回路基板７２４の裏面には、回路押え板７２５が配置されている。
回路押え板７２５には、裏蓋１２に導通するための裏蓋導通バネ７２５Ａが一体に形成されている。この裏蓋導通バネ７２５Ａは、回路押え板７２５において複数形成されている。
【００３１】
［二次電池］
二次電池２４は、図５に示すように、平面円形に形成されたボタン型のリチウムイオン電池であり、駆動体２２、受信部５０等に電力を供給する。二次電池２４は、第２回路基板７２４の切欠部７３１に設けられ、平面視において、平面アンテナ４０、受信部５０、電源用ＩＣ７５と重ならない位置、具体的には、文字板２の平面中心に対して８時方向に配置されている。
二次電池２４の裏蓋側には、電池端子板（図示略）が配置され、電池端子板は第２回路基板７２４に導通されている。
【００３２】
［太陽電池パネル］
本発明の太陽電池である太陽電池パネル２５は、電極部として表面電極や裏面電極を有する。表面電極は、光を通すためにＩＴＯ（Indium Tin Oxide）などの透明電極で形成されている。また、樹脂フィルムで構成されたベース上に、発電層としてアモルファスシリコン半導体の薄膜が形成されている。
ＧＰＳ衛星信号の周波数は、約１．５ＧＨｚであり、高周波である。高周波は、電波時計で受信する長波の標準電波と異なり、ソーラーパネルの薄い透明電極でも電波は減衰し、アンテナ特性が低下する。このため、図５に示すように、円板状に形成された太陽電池パネル２５は、平面アンテナ４０と平面視で重なる部分に切欠部２５１が形成されている。太陽電池パネル２５は、地板２１の表面側に配置され、平面アンテナ４０の表面側には配置されていない。したがって、平面アンテナ４０は、太陽電池パネル２５の切欠部２５１を通して電波を受信できる。
なお、太陽電池パネル２５には、文字板２の日窓２Ｂと平面的に重なる開口２５２や、指針軸３Ａ，４Ｂ〜４Ｄが挿通される孔２５３，２５７，２５８，２５９が形成されている。
【００３３】
太陽電池パネル２５は、図６に示すように、８個のソーラーセル２６１〜２６８と、太陽電池パネル２５の外周端部に設けられた電極端子２７１，２７２とを備える。各ソーラーセル２６１〜２６８は、電極端子２７１，２７２間に直列に接続されている。すなわち、隣り合うソーラーセルの一方のソーラーセルの金属電極と、他方のソーラーセルの透明電極とを、接続部２７５で接続することで、各ソーラーセル２６１〜２６８は直列に接続されている。１つのソーラーセルでの起電圧は約０．６Ｖ以上である。このため、８個のソーラーセル２６１〜２６８を直列に接続すれば、約０．６Ｖ×８段＝約４．８Ｖ以上の起電圧が得られる。したがって、起電圧が大きなリチウムイオン二次電池２４を充電でき、ＧＰＳ受信装置（ＧＰＳモジュール）などの消費電流の大きなデバイスを内蔵できる。なお、ソーラーセルの数は８個に限定されず、７個以下でもよいし、９個以上でもよい。ただし、セル数が少ないと起電圧が低くなるため、別途、昇圧回路を設ける必要がある。一方で、セル数が多いと、各セルの面積が小さくなり、発電電流が低下する。したがって、セル数は８個程度が好ましい。
【００３４】
電極端子２７１は、ソーラーセル２６１の金属電極または透明電極の一方に導通され、電極端子２７２は、ソーラーセル２６８の金属電極または透明電極の他方に導通されている。そして、図５および図７に示すように、電極端子２７１、２７２と、第２回路基板７２４の充電用端子７４１、７４２との間には、第一の導電部材である第一導通バネ２８１と、第二の導電部材である第二導通バネ２８２とが配置されている。
したがって、太陽電池パネル２５で発電した電流は、図５および図８にも示すように、電極端子２７１、２７２、導通バネ２８１、２８２、充電用端子７４１、７４２を介して二次電池２４に充電される。
【００３５】
電極端子２７１と、電極端子２７２とは、平面視で離間して配置されている。すなわち、電極端子２７１は、ソーラーセル２６１の外周に配置され、電極端子２７２は、ソーラーセル２６８の外周に配置されている。すなわち、電極端子２７１および第一導通バネ２８１は第四領域１０８に配置され、電極端子２７２および第二導通バネ２８２は第三領域１０７に配置されている。
ここで、本実施形態においては、ソーラーセル２６１、２６８の中心角は約４０度である。このため、電極端子２７１、２７２の離間距離を、電極端子２７１と、太陽電池パネル２５の平面中心、つまり指針軸３Ａが配置される孔２５３と、電極端子２７２とを結ぶ中心角で表すと、前記中心角は、例えば、４０度以上、８０度以下に設定することが好ましい。図６の例では、前記中心角は約５５度とされている。
【００３６】
電極端子２７１、２７２や導通バネ２８１、２８２は、平面視で日車５の外周側に配置され、後述するように、見切り部材であるダイヤルリング３２で隠されている。地板２１には、導通バネ２８１、２８２を挿通するための貫通孔２１１、２１２が形成されている。
【００３７】
太陽電池パネル２５は、図６，７に示すように、太陽電池パネル押さえ２９によって、地板２１に取り付けられる。太陽電池パネル押さえ２９は、太陽電池パネル２５の外周に沿って配置されるリング部材であり、その周方向の４箇所に地板２１に係合する係合フック２９１が形成されている。係合フック２９１を用いて太陽電池パネル押さえ２９を地板２１に係合することで、太陽電池パネル２５を地板２１および太陽電池パネル押さえ２９で挟んで固定している。
この際、太陽電池パネル２５の電極端子２７１、２７２は、係合フック２９１の近傍に配置されている。これにより、導通バネ２８１、２８２によって電極端子２７１、２７２を付勢する力が加わっても、その力を太陽電池パネル押さえ２９の係合フック２９１で支持でき、導通バネ２８１、２８２による太陽電池パネル２５の変形を抑制できる。
【００３８】
［日車］
地板２１の日車配置部２１Ｂには、リング状に形成され、表面に日付が表示されたカレンダー車である日車５が配置される。日車５は、プラスチック等の非導電性部材により形成されている。ここで、日車５は、平面視において、平面アンテナ４０の少なくとも一部と重なっている。なお、カレンダー車は、日車５に限らず、曜日を表示する曜車や、月を表示する月車などでもよい。
【００３９】
［文字板］
地板２１の表面側には、太陽電池パネル２５および日車５の表面側を覆って、文字板２が配置される。文字板２は、非導電性を有し、かつ、少なくとも一部の光を透過させる透光性を有するプラスチックなどの材料で形成されている。
ここで、平面視において平面アンテナ４０と重なる文字板２の表面に、略字等を設けることができる。この場合、平面アンテナ４０の受信性能を向上させるため、略字等の文字板２の表面に設けられるパーツは、金属製ではなく、プラスチック等の非導電性部材にて形成されることが好ましい。一方、平面アンテナ４０と平面的に重ならない第３小窓７９０や略字は、金属パーツを用いることができる。
また、文字板２は、透光性を有する。そのため、ユーザーが時計の表面側から見ると、文字板２の裏面側に配置された太陽電池パネル２５が透けて見える。このため、太陽電池パネル２５が配置されている領域と配置されていない領域とで、文字板２の色が違って見える。この色の違いが目立たないように、文字板２はデザイン的なアクセントを有してもよい。
さらに、太陽電池パネル２５に切欠部２５１を形成したことで、切欠部２５１に重なる部分の文字板２の色調が他の部分と違って見えることがある。それを防止するために太陽電池パネル２５と同色（例えば紺色や紫色）のプラスチックシートを太陽電池パネル２５の下に重ねてもよいし、太陽電池パネル２５全体を切り欠かずに、電波遮蔽する電極層を平面アンテナ４０と平面的に重なる部分のみ取り除いて、基材となる樹脂フィルム層を残して色調を合わせてもよい。
【００４０】
［ダイヤルリング］
文字板２の表面側には、非導電性部材である合成樹脂（例えばＡＢＳ樹脂）にて形成されたリング部材であるダイヤルリング３２が設けられる。ダイヤルリング３２は、文字板２の周囲に沿って配置され、内周面が傾斜面（円錐面）とされ、この傾斜面には時字マークやワールドタイムの時差などの目盛が印刷されている。ダイヤルリング３２をプラスチックで成形すれば、電子時計１は受信性能も確保でき、かつ、ダイヤルリング３２は複雑な形状で形成され得て意匠性を向上できる。
ダイヤルリング３２は、図３に示すように、文字板２および太陽電池パネル２５の外周縁を覆う位置に配置されている。このため、太陽電池パネル２５の電極端子２７１、２７２、接続部２７５と、導通バネ２８１、２８２は、ダイヤルリング３２と平面視で重なる位置に配置され、ダイヤルリング３２の内周側に露出しないようにされている。したがって、ダイヤルリング３２は、本発明の見切り部材の一例である。
【００４１】
［平面アンテナ］
地板２１のアンテナ収容部２１Ｃには、パッチアンテナ（マイクロストリップアンテナ）である平面アンテナ４０が配置される。平面アンテナ４０は、ＧＰＳ衛星Ｓからの衛星信号を受信するものである。
平面アンテナ４０は、平面視において、ケース本体１１（胴１１１およびベゼル１１２）、太陽電池パネル２５、耐磁板９１，９２とは重ならずに、非導電性部材にて形成された日車５、文字板２、カバーガラス３１と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス３１を透過した後、ケース本体１１、耐磁板９１、９２、太陽電池パネル２５によって遮られることなく、文字板２、日車５、地板２１を透過して平面アンテナ４０に入射する。なお、秒針３Ｂ、分針３Ｃ、時針３Ｄ、指針７７１、指針７８１は平面アンテナ４０と重なる面積が小さいことから、金属製であっても衛星信号の受信に支障ないが、非導電性部材であれば衛星信号が遮断される影響をより回避できる点で好ましい。
【００４２】
ＧＰＳ衛星Ｓは、右旋円偏波で衛星信号を送信している。そのため、本実施形態の平面アンテナ４０は、円偏波特性に優れるパッチアンテナで構成されている。
平面アンテナ４０は、図９に示すように、誘電体基材４１にアンテナ電極部４２と、ＧＮＤ電極４３と、給電部４４とを積層した面実装型のパッチアンテナである。給電部４４は、平面アンテナ４０の底面に配置された給電電極４４１を備えている。なお、給電部４４は、給電電極４４１と、平面アンテナ４０の側面に給電電極４４１から連続して設けられた側面電極とを備えた帯状のストリップ電極でもよい。
パッチアンテナが方形の場合は、アンテナ電極部４２の一辺が半波長で共振し、円形の場合は直径が約０．５８波長で共振する。しかし、平面アンテナ４０は誘電体基材４１を備えているので、誘電体の波長短縮効果により平面アンテナ４０を小形化できる。
【００４３】
誘電体基材４１は、セラミック等の誘電体によって直方体状に形成されている。ここで、誘電体基材４１の地板２１、文字板２側の面を表面４１１とし、第２回路基板７２４側の面を裏面４１２とする。また、誘電体基材４１の４つの側面をそれぞれ第１側面４１３Ａ、第２側面４１３Ｂ、第３側面４１３Ｃ、第４側面４１３Ｄとする。第１側面４１３Ａおよび第２側面４１３Ｂが対向配置され、第３側面４１３Ｃおよび第４側面４１３Ｄが対向配置されている。
誘電体基材４１の表面４１１には、アンテナ電極部（放射電極部）４２が形成されている。
アンテナ電極部４２は、平面視で矩形状に形成され、一対の対角部分には、円偏波を受信するために縮退分離素子部４５が形成されている。縮退分離素子部４５は、アンテナ電極部４２で発生する直交する２つの偏波のバランスをずらすものであり、切り欠きや突出部等であれば良い。本実施形態では、アンテナ電極部４２の角部を切り欠くことで縮退分離素子部４５を構成している。
【００４４】
給電部４４の給電電極４４１は、第１側面４１３Ａの中央部においてアンテナ電極部４２と容量結合する。アンテナ電極部４２で受信された衛星電波は、容量結合を介して給電電極４４１に伝達し、給電電極４４１から取り出すことができる。
ＧＮＤ電極４３は、誘電体基材４１の裏面４１２において、給電電極４４１と絶縁され、かつ、給電電極４４１以外を覆うベタ電極である。
【００４５】
本実施形態では、給電部４４の配置位置を次のように設定している。
図４に示すように、平面アンテナ４０の中心Ｏに対して第１角度範囲および第２角度範囲を仮想的に設定する。
第１角度範囲は、平面アンテナ４０の中心Ｏに対する方向を、文字板２（ムーブメント２０）の中心に対する目盛の方向に対応させた場合に、１．５時方向から４．５時方向までの角度範囲である。１．５時方向とは、文字板２の中心を通る第一直線１０１、第二直線１０２に対して４５度の角度方向であるため、図４において平面アンテナ４０の中心Ｏから第２側面４１３Ｂおよび第３側面４１３Ｃが交差する角部に向かう仮想線４７１の方向である。同様に、４．５時方向とは、平面アンテナ４０の中心Ｏから第２側面４１３Ｂおよび第４側面４１３Ｄが交差する角部に向かう仮想線４７２の方向である。
第２角度範囲は、平面アンテナ４０の中心Ｏに対する方向を、文字板２（ムーブメント２０）の中心に対する目盛の方向に対応させた場合に、７．５時方向から１０．５時方向までの角度範囲である。７．５時方向とは、図４において平面アンテナ４０の中心Ｏから第１側面４１３Ａおよび第４側面４１３Ｄが交差する角部に向かう仮想線４７３の方向である。１０．５時方向とは、平面アンテナ４０の中心Ｏから第１側面４１３Ａおよび第３側面４１３Ｃが交差する角部に向かう仮想線４７４の方向である。
【００４６】
したがって、第１、２角度範囲は中心角が９０度の角度範囲である。そして、本実施形態では、給電部４４は、第２角度範囲内に配置されている。より具体的には、給電部４４は、平面アンテナ４０の中心Ｏに対して９時方向に配置されている。
なお、第１角度範囲および第２角度範囲は、以下のように説明することもできる。文字板２に平行であって、平面アンテナ４０の上面（表面）４１１を含む平面Ａを考える。当該平面Ａにおいて、平面アンテナ４０の平面中心Ｏを原点とし、外装ケース１０に接続される第１バンド１５、第２バンド１６の長手方向に平行であり、前記原点から第１バンド１５に向かう直線を基準線４７０とする。基準線４７０は、中心Ｏを原点とし、第一直線１０１に重なる直線である。第１角度範囲は、原点を回転中心として基準線４７０から時計回りに４５度から１３５度までの範囲である。第２角度範囲は、原点を回転中心として基準線４７０から反時計回りに４５度から１３５度までの範囲である。本実施形態では、給電部４４は、基準線４７０に対して反時計回りに９０度の位置に配置されている。
【００４７】
この平面アンテナ４０は、次のようにして製造できる。まず、比誘電率が６０〜１２０程度のチタン酸バリウムを主原料にプレス機で目的の形に成形し、焼成を経てアンテナの誘電体基材４１となるセラミックスを完成する。誘電体基材４１の裏面４１２には、主に銀（Ag）等のペースト材をスクリーン印刷すること等で、アンテナのグランド電極となるＧＮＤ電極４３を構成する。
誘電体基材４１の表面４１１には、アンテナの周波数、受信する信号の偏波を決めるアンテナ電極部４２をＧＮＤ電極４３と同様な方法で構成する。アンテナ電極部４２は、誘電体基材４１の表面よりも一回り小さく形成され、誘電体基材４１の表面においてアンテナ電極部４２の周囲には、アンテナ電極部４２が積層されておらず誘電体基材４１が露出する露出面が設けられる。
誘電体基材４１の裏面４１２には、給電部４４の給電電極４４１を、ＧＮＤ電極４３と同様な方法で構成する。
誘電体基材４１は、例えば、表面形状は略正方形状であり、一辺の寸法は約１１ｍｍであり、厚さ寸法は３ｍｍである。アンテナ電極部４２は、例えば、表面形状は略正方形状であり、一辺の寸法は約８〜９ｍｍである。
【００４８】
平面アンテナ４０は、第２回路基板７２４の表面に実装され、第２回路基板７２４に実装された受信部５０であるアンテナＧＰＳモジュールに、給電ライン４６を介して電気的に接続される。給電ライン４６は、第２回路基板７２４上に形成される配線であり、本実施形態では、図４に示すように、給電部４４と受信部５０とを直線で結ぶように配線されている。このため、給電ライン４６は、給電部４４の給電電極４４１から約８時方向に向かって斜めに引き出している。なお、給電ライン４６は、給電部４４と受信部５０とを直線で結ぶ配線に限定されない。しかし、高周波信号を送信するためには、できるだけ直線に近い配線が好ましい。このため、配線を曲げる必要がある場合は、直角に曲げずに、例えば４５度の角度で曲げるなどすればよい。直角に曲げると、直角部分のパターン幅と直線部分のパターン幅の変化が大きくなり、特性インピーダンスの変化も大きくなってノイズの影響を受けやすいからである。
さらに、平面アンテナ４０のＧＮＤ電極４３は、第２回路基板７２４のグランドパターンを介して受信部５０のグランド部に導通しており、第２回路基板７２４はグランド板（グランドプレーン）として機能する。さらに、受信部５０のグランド部は、第２回路基板７２４のグランドパターンを介して金属製の胴１１１や裏蓋１２に導通しており、胴１１１や裏蓋１２もグランドプレーンとして利用できる。
【００４９】
この平面アンテナ４０は、図３に示すように、第２回路基板７２４を地板２１に固定することで、アンテナ収容部２１Ｃに配置される。平面アンテナ４０の誘電体基材４１は、セラミックで硬く欠けやすいため、地板２１との間にはスポンジなどの緩衝材４７が介在されている。このため、誘電体基材４１が地板２１に衝突して破損することを防止できる。なお、緩衝材４７は必須では無く、必要に応じて設ければよい。
【００５０】
［アンテナ電極部と金属製部品との距離］
パッチアンテナの動作原理は、パッチ（アンテナ電極部４２）の縁に沿った強い電界が、縁から空間へ向かって放射されるため（送信アンテナとして用いた場合）、アンテナ近傍の電気力線は強くなり、近傍の金属や誘電体の影響を受けやすい。特に、アンテナ電極部４２より上方（カバーガラス３１側）に位置する金属部品の影響は大きい。
このため、平面アンテナ４０の上面（アンテナ電極部４２）よりも上側（カバーガラス３１側）に配置される金属部品と、アンテナ電極部４２との位置関係は以下のように設定している。
本実施形態において、平面アンテナ４０の上面より上側に配置される金属部品は、外装ケース１０のケース本体１１（胴１１１）、第１耐磁板９１、太陽電池パネル２５の電極部である。
図３に示すように、アンテナ電極部４２とケース本体１１との最短距離をＤ１、アンテナ電極部４２と文字板２の裏面に配置される第１耐磁板９１との最短距離をＤ２、アンテナ電極部４２と太陽電池パネル２５の電極部との最短距離をＤ３とする。また、平面アンテナ４０の厚さ寸法をｔとする。
【００５１】
上記Ｄ１〜Ｄ３は、アンテナ電極部４２と金属部品との距離による受信特性への影響を確認した実験例に基づいて設定した。本実施形態では、最短距離Ｄ１〜Ｄ３は、少なくとも平面アンテナ４０の厚さ寸法（ｔ＝３ｍｍ）の８０％である２．４ｍｍ以上に設定した。
【００５２】
［実施形態の作用効果］
電子時計１の平面視において、ステップモーター２２１〜２２５と、二次電池２４と、平面アンテナ４０とを互いに重ならないように配置したので、電子時計１を薄型化できる。
また、文字板２の平面領域を、第二直線１０２で２つの領域に分けた際に、一方の領域（第一領域１０５および第二領域１０６）に平面アンテナ４０を配置し、他方の領域（第三領域１０７および第四領域１０８）に、導通バネ２８１、２８２を配置したので、平面アンテナ４０に対して、導通バネ２８１、２８２を離して配置できる。特に、平面アンテナ４０と、各導通バネ２８１、２８２との間の寸法は、平面アンテナ４０と外装ケース１０との寸法Ｄ１に比べて、数倍の大きさにすることができる。このため、導通バネ２８１、２８２による平面アンテナ４０への影響を少なくでき、受信性能の低下を防止できる。
さらに、第一導通バネ２８１と、第二導通バネ２８２とは、第三領域１０７および第四領域１０８にそれぞれ配置されている。すなわち、第一導通バネ２８１および第二導通バネ２８２を、間隔をあけて配置しているので、第一導通バネ２８１および第二導通バネ２８２が隣接して配置される場合に比べて、平面アンテナ４０の指向性特性への影響を分散できるため、全方向から受信をし易くできる。
その上、第一導通バネ２８１と、第二導通バネ２８２とを間隔をあけて配置しているので、導通バネ２８１、２８２によって太陽電池パネル２５に加わる負荷を分散できる。すなわち、２つの導通バネ２８１、２８２が隣接配置されている場合は、太陽電池パネル２５の一箇所に２つのバネが当接するため、太陽電池パネル２５に大きな力が加わる。このため、太陽電池パネル押さえ２９が導通バネ２８１、２８２の力を支持できるように、太陽電池パネル押さえ２９を厚くしたり、係合フック２９１の数を増やす必要がある。これに対し、本実施形態のように、導通バネ２８１、２８２を間隔を空けて配置すれば、太陽電池パネル２５に加わる負荷を分散でき、太陽電池パネル押さえ２９を薄型化でき、係合フック２９１の数も最小限にすることができる。
特に、前記実施形態では、各導通バネ２８１、２８２を、係合フック２９１の近傍に配置したので、導通バネ２８１、２８２の力を効果的に支持することができる。
【００５３】
また、太陽電池パネル２５の電極端子２７１、２７２を、平面視で見切り部材であるダイヤルリング３２と重なる位置、すなわち太陽電池パネル２５の外周縁に配置したので、導通バネ２８１、２８２を文字板２や地板２１の外周部に配置できる。このため、ムーブメント２０の設計の自由度を向上できる。すなわち、導通バネ２８１、２８２は、太陽電池パネル２５から第２回路基板７２４まで配置され、時計部品の中では、時計の厚さ方向の寸法が大きな部品である。このため、太陽電池パネル２５の外周縁よりも内側の領域に配置すると、日車５や輪列などと干渉する可能性があり、日車や輪列などの配置が制約される。これに対し、本実施形態の構成によれば、導通バネ２８１、２８２が地板２１の外周部に配置されるため、日車５や輪列は導通バネ２８１、２８２の内側であれば自由に配置できるため、ムーブメント２０の設計自由度を向上できる。
【００５４】
太陽電池パネル２５の電極端子２７１、２７２を、ダイヤルリング３２で隠すことができる。このため、電極端子２７１、２７２が導通バネ２８１、２８２が裏側に配置されることなどで、太陽電池パネル２５の他の箇所に比べて黒く目立ってしまう場合であっても、ダイヤルリング３２で隠すことで外観上露出しないので、高品位の電子時計１を容易に実現できる。
【００５５】
第二直線１０２で分けた２つの領域の一方に平面アンテナ４０を配置し、他方に二次電池２４を配置したので、平面アンテナ４０と二次電池２４とを離して配置できる。このため、二次電池２４による影響を抑制でき、平面アンテナ４０の受信感度を向上できる。
【００５６】
平面アンテナ４０の給電部４４と、受信部５０とを、第一領域１０５に配置したので、給電部４４と受信部５０とを接続する給電ライン４６を短くでき、ノイズの影響を減少できる。
また、受信部５０が配置される第一領域１０５には、第２耐磁板９２、ステップモーター２２１〜２２５、水晶振動子６３を配置していないので、給電ライン４６に対する金属部品の影響も軽減でき、平面アンテナ４０の感度劣化を抑制できる。
さらに、給電部４４から給電ライン４６を斜め方向に引き出して、受信部５０まで給電ライン４６を直線状に配線したので、特性インピーダンスの変化を抑制でき、給電ライン４６に対するノイズの影響を最小限にできる。
【００５７】
平面アンテナ４０を文字板２の中心から１２時方向に配置し、給電部４４を平面アンテナ４０の中心から９時方向に配置したので、給電部４４を外装ケース１０から離して配置することができる。
このため、金属製のケース本体１１による平面アンテナ４０への影響を軽減でき、平面アンテナ４０の受信感度を向上できる。
【００５８】
平面アンテナ４０をパッチアンテナで構成したので、第２回路基板７２４をグランド板として機能させることができ、外部から入射する無線電波を第２回路基板７２４上で反射させて平面アンテナ４０に導くことができ、平面アンテナ４０の受信性能をより向上できる。
また、胴１１１および裏蓋１２は、受信部５０のグランド部に接続されるため、グランドプレーンとして機能する。これにより、グランドプレーンの面積を大きくとることができ、アンテナ利得が向上してアンテナ特性を向上できる。
平面アンテナ４０は、平面視において太陽電池パネル２５や耐磁板９１、９２と重ならないため、時計の表面側から伝播されてくる衛星信号は、太陽電池パネル２５や耐磁板９１で遮られることなく平面アンテナ４０に入射する。このため、受信性能を低下させることなく、太陽電池パネル２５および耐磁板９１、９２を電子時計１に設けることができる。
平面アンテナ４０を文字板２の中心から１２時方向に配置したので、第１小窓７７０、第２小窓７８０、第３小窓７９０の各指針７７１、７８１、７９１の指針軸４Ｂ、４Ｃ、４Ｄと干渉することがない。このため、電子時計１の文字板２のデザインの制約を少なくできる。
【００５９】
太陽電池パネル２５は、８個のソーラーセル２６１〜２６８を直列に接続しているので、約４．８Ｖ以上の起電圧が得られ、起電圧が大きなリチウムイオンの二次電池２４を充電できる。このため、ＧＰＳ受信装置（ＧＰＳモジュール）などの消費電流の大きなデバイスを内蔵した電子時計１を構成できる。
【００６０】
平面アンテナ４０は、給電部４４を給電電極４４１で構成したので、給電ピンを用いた給電部に比べて平面アンテナ４０を薄型化でき、面実装で容易に製造できる。また、平面アンテナ４０の端（アンテナの中心に対して偏った位置）付近に給電ピンを設けると、セラミックで形成された誘電体基材４１が割れてしまう場合があるが、ピンを使わないことで誘電体基材４１の割れを防ぐこともできる。
【００６１】
アンテナ電極部４２から金属製のケース本体１１までの最短距離Ｄ１と、アンテナ電極部４２から第１耐磁板９１までの最短距離Ｄ２と、アンテナ電極部４２から太陽電池パネル２５の電極部までの最短距離Ｄ３とを、それぞれ平面アンテナ４０の厚さ寸法ｔの８０％以上に設定したので、周波数シフトを無くすことができ、平面アンテナ４０の受信感度への影響を低減できる。
【００６２】
平面アンテナ４０は、ステップモーター２２１〜２２５や二次電池２４と平面的に重ならずに配置できるので、誘電体基材４１を積層して構成できる。このため、腕時計サイズの電子時計１に組み込むために、平面サイズが小さな平面アンテナ４０を用いても受信性能を確保できる。平面アンテナ４０は、文字板２と平面的に重なるが、文字板２は非導電性部材からなるため、平面アンテナ４０での受信性能を確保できる。また、指針３を導電性部材で構成した場合でも、針状で平面積が小さいため、受信性能への影響を最小限に抑えることができる。
したがって、受信性能を確保でき、かつ、薄型化できて腕時計に適した電子時計１を提供できる。
【００６３】
平面視で文字板２の３時位置には、巻真７０６やおしどり等の切換機構が配置されるため、時計部品の中で比較的大きな部品である平面アンテナ４０や二次電池２４を３時位置に配置すると電子時計１の平面サイズを大型化しなければならない。これに対し、本実施形態では、平面アンテナ４０および二次電池２４を、３時位置を避けて配置しているので、３時位置に配置される切換機構とレイアウト的に干渉せず、そのため電子時計１の平面サイズを小さくできる。
【００６４】
第２回路基板７２４の切欠部７３１に二次電池２４を配置したので、第２回路基板７２４の裏面側に電池を配置する場合に比べて電子時計１の厚さ寸法を小さくでき、電子時計１を薄型化できる。
【００６５】
外装ケース１０の一部、例えば、胴１１１やベゼル１１２、裏蓋１２を金属製にできるので、電子時計１の質感を向上できる。さらに、文字板２の外周に沿って配置されるダイヤルリング３２等のリング部材を非導電性部材で構成しているので、平面アンテナ４０は、時計のカバーガラス３１側から、文字板２やダイヤルリング３２、地板２１を通して衛星信号を受信でき、胴１１１、ベゼル１１２や裏蓋１２が金属製であっても受信性能を確保できる。
【００６６】
日車５を非導電性部材で形成したので、平面視において日車５を平面アンテナ４０と重ねて配置しても、衛星信号は日車５を透過してアンテナに入射するため、受信性能が低下することを防止できる。
また、日車５は、平面視において平面アンテナ４０と重なるため、日車５および平面アンテナ４０を避けて配置する指針３、７７１、７８１、７９１の指針軸３Ａ、４Ｂ、４Ｃ、４Ｄの配置位置の自由度が高まり、電子時計１のデザイン自由度を向上できる。
【００６７】
［他の実施形態］
なお、本発明は前記各実施形態に限定されず、本発明の要旨の範囲内で種々の変形実施が可能である。
【００６８】
図１０に示すように、平面アンテナ４０が実装されるアンテナ基板４００と、メイン基板７２０とを別体としてもよい。アンテナ基板４００は、平面アンテナ４０のみが実装される。メイン基板７２０は、両面実装の回路基板であり、両面に各種ＩＣ等が実装されている。
アンテナ基板４００とメイン基板７２０とを別体にすれば、平面アンテナ４０とメイン基板７２０とを並列に並べることができる。すなわち、アンテナ基板４００は、平面アンテナ４０のみを実装するため、基板の層の数も少なくでき、薄型化できる。一方、メイン基板７２０は、例えば６層の基板などで構成され、かつ、両面にＩＣ等が実装されるため、アンテナ基板４００に比べて厚さ寸法が大きくなる。したがって、メイン基板７２０とアンテナ基板４００とを別体とすれば、メイン基板７２０は、時計厚さ方向において平面アンテナ４０の高さ寸法内に配置できる。このため、平面アンテナ４０の厚さ寸法を確保しながら、電子時計１を薄型化できる。
【００６９】
外装ケース１０内における平面アンテナ４０の配置位置は、文字板２の中心に対して１２時方向側に限定されず、６時方向側つまり平面アンテナ４０の中心位置が外装ケース１０の平面中心に対して５時方向から７時方向までの角度範囲内でもよい。さらに、平面アンテナ４０の配置位置は、文字板２の中心に対して３時方向側（平面アンテナ４０の中心位置が２時方向から４時方向の角度範囲内）や、９時方向側（平面アンテナ４０の中心位置が８時方向から１０時方向の角度範囲内）でもよい。すなわち、平面アンテナ４０の位置は、ムーブメント２０の構造に応じて適宜設定すれば良い。
なお、導通バネ２８１、２８２は、平面視で文字板２を２つの領域に区分した際に、平面アンテナ４０が配置される領域とは異なる領域に配置すればよい。
また、平面アンテナ４０の給電部は、給電ピンを用いてもよい。
【００７０】
前記実施形態では、ベゼル１１２は導電性部材で形成されているが、本発明はこれに限定されない。例えば、ベゼル１１２は、非導電性部材であるジルコニア（ＺｒＯ２）などのセラミックにて形成されていてもよい。ジルコニアは、抵抗率が高く電波受信に悪影響を与えないだけではなく、硬く耐傷性にも優れるため、時計の外装部材として優れている。また、ベゼル１１２をセラミック製とすると、ベゼル１１２をアンテナ電極部４２と平面視で重ねることができる。このため、ベゼル１１２がアンテナ電極部４２と平面的に重ならないように胴１１１の直径を大きくする必要が無いため、胴１１１の直径を小さくすることができ、電子時計１の平面サイズを小型化できる。
【００７１】
前記実施形態では、電子時計１は、日車５、太陽電池パネル２５、ダイヤルリング３２を備えているが、本発明はこれに限定されない。すなわち、電子時計１は、日車５、太陽電池パネル２５、ダイヤルリング３２を備えていなくてもよい。この場合、見切り部材は、ケースのベゼルで構成してもよい。さらに、太陽電池パネル２５の電極端子２７１、２７２部分を被覆する見切り部材は、必ずしも設けなくてもよい。
【００７２】
前記実施形態では、太陽電池パネル２５は、平面アンテナ４０と平面視で重なる部分に切欠部２５１が形成されているが、太陽電池パネル２５は、切欠部２５１が形成されたものに限定されない。太陽電池パネル２５は、平面アンテナ４０での電波受信に影響しないように構成されていればよく、平面アンテナ４０と平面視で重なる部分に太陽電池パネルが配置されない形状であればよい。たとえば、太陽電池パネル２５に、平面アンテナ４０と平面視で重なる部分のみくり抜いた開口を形成してもよいし、太陽電池パネル２５を半円状に形成し、平面アンテナ４０と平面視で重なる部分に太陽電池パネルを配置しないようにしてもよい。
前記実施形態では、第１耐磁板９１および第２耐磁板９２を切り欠いて切欠部９１２、９２２を形成するようにしたが、第１耐磁板、第２耐磁板としては、切欠部が形成されたものに限定されない。すなわち、受信への影響を考慮して、平面アンテナ４０との距離が適切になるように、第１耐磁板９１および第２耐磁板９２の形状を設定すればよい。
【００７３】
位置情報衛星の例として、ＧＰＳ衛星Ｓについて説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
平面アンテナ４０としては、前述のパッチアンテナに限定されず、チップアンテナや逆Ｆアンテナなどの他の種類の平面アンテナでもよく、受信する信号に種類に応じて適切な平面アンテナを用いればよい。
【符号の説明】
【００７４】
１…電子時計、１０…外装ケース、１０１…第一直線、１０２…第二直線、１０５…第一領域、１０６…第二領域、１０７…第三領域、１０８…第四領域、１１…ケース本体、１２…裏蓋、２…文字板、２０…ムーブメント、２１…地板、２２…駆動体、２２１…第１ステップモーター、２２２…第２ステップモーター、２２３…第３ステップモーター、２２４…第４ステップモーター、２２５…第５ステップモーター、２４…二次電池、２５…太陽電池パネル、２６１〜２６８…ソーラーセル、２７１、２７２…電極端子、２７５…接続部、２８１…第一導通バネ、２８２…第二導通バネ、２９…太陽電池パネル押さえ、２９１…係合フック、３…指針、３１…カバーガラス、３２…ダイヤルリング、３Ａ…指針軸、３Ｂ…秒針、３Ｃ…分針、３Ｄ…時針、４０…平面アンテナ、４００…アンテナ基板、４１…誘電体基材、４２…アンテナ電極部、４３…ＧＮＤ電極、４４…給電部、４４１…給電電極、４５…縮退分離素子部、４６…給電ライン、５…日車、５０…受信部、６…リューズ、６３…水晶振動子、７０６…巻真、７２０…メイン基板、７２３…第１回路基板、７２４…第２回路基板、７２５…回路押え板、７Ａ…ボタン、７Ｂ…ボタン、７Ｃ…ボタン、７Ｄ…ボタン、９１…第１耐磁板、９２…第２耐磁板。
【図１】
2019168336.tif 000003
【図２】
2019168336.tif 000004
【図３】
2019168336.tif 000005
【図４】
2019168336.tif 000006
【図５】
2019168336.tif 000007
【図６】
2019168336.tif 000008
【図７】
2019168336.tif 000009
【図８】
2019168336.tif 000010
【図９】
2019168336.tif 000011
【図１０】
2019168336.tif 000012